(57)【特許請求の範囲】
【請求項１】
移動端末の使用領域を限定するための方法であって、前記方法は移動端末に適用され、
前記方法は、
前記移動端末の現在のロケーションをカバーする少なくとも１つのセルネットワークの
セル識別情報を獲得するステップであって、前記セルネットワークは、前記移動端末によ
ってサポートされるネットワーク規格に対応する無線通信ネットワークに対応し、前記セ
ル識別情報は、周波数チャネル番号情報であるか、または前記セル識別情報は、周波数チ
ャネル番号情報および補助セル識別情報を含むステップと、
前記セル識別情報が、ロックされた識別情報と整合するセル識別情報を含んでいるかど
うかを決定するステップであって、前記ロックされた識別情報のパラメータは、前記セル
識別情報のパラメータと１対１の対応関係にあるステップと、
前記獲得されたセル識別情報が、前記ロックされた識別情報と整合する前記セル識別情
報を含んでいる場合、前記移動端末によって、前記ロックされた識別情報に対応するセル
ネットワークにアクセスするステップ、または、前記獲得されたセル識別情報が、前記ロ
ックされた識別情報と整合する前記セル識別情報を含んでいない場合、前記移動端末によ
って、無線通信ネットワークへのアクセスを省略するステップと
を含み、
前記セル識別情報が、ロックされた識別情報と整合するセル識別情報を含んでいるかど
うかを決定する前記ステップの前に、前記方法は、
前記移動端末の前記現在のロケーションをカバーする前記少なくとも１つのセルネット
ワーク内で最大信号強度を有するセルネットワークを決定し、最大信号強度を有する前記
セルネットワークに対応するセル識別情報を、前記移動端末に接続されている制御デバイ
スに送るステップと、
前記制御デバイスによって配信される領域ロック命令に従って、最大信号強度を有する
前記セルネットワークに対応する前記セル識別情報を決定するステップであって、前記領
域ロック命令は、最大信号強度を有する前記セルネットワークに対応する前記セル識別情
報を含むステップと、
最大信号強度を有する前記セルネットワークに対応する前記セル識別情報を、前記ロッ
クされた識別情報として決定するステップと
をさらに含む
ことを特徴とする方法。
【請求項２】
前記移動端末によってサポートされる前記ネットワーク規格がＧＳＭである場合、前記
セル識別情報は、周波数チャネル番号情報であり、前記ロックされた識別情報は、ロック
された周波数チャネル番号を含み、前記移動端末によってサポートされる前記ネットワー
ク規格がＧＳＭではない場合、前記セル識別情報は、周波数チャネル番号情報および補助
セル識別情報を含み、前記ロックされた識別情報は、ロックされた周波数チャネル番号お
よびロックされた補助識別情報を含むことを特徴とする請求項１に記載の方法。
【請求項３】
前記獲得されたセル識別情報が、前記ロックされた識別情報と整合する前記セル識別情
報を含んでいる場合、前記移動端末によって、前記ロックされた識別情報に対応するセル
ネットワークにアクセスする前記ステップは、
前記獲得されたセル識別情報が、前記ロックされた識別情報と整合する前記セル識別情
報を含み、前記ロックされた識別情報と整合する前記セル識別情報の信号強度が、プリセ
ット強度閾値以上である場合、前記移動端末によって、前記ロックされた識別情報に対応
する前記セルネットワークにアクセスするステップ
を含むことを特徴とする請求項１又は２に記載の方法。
【請求項４】
前記移動端末の現在のロケーションをカバーする少なくとも１つのセルネットワークの
セル識別情報を獲得する前記ステップは、
前記移動端末によって、周波数走査を実行し、前記移動端末の前記現在のロケーション
をカバーする前記少なくとも１つのセルネットワークの前記セル識別情報を周波数走査結
果から獲得するステップ、または
前記移動端末によって、セル同報通信メッセージを受け取り、前記同報通信メッセージ
から、前記移動端末の前記現在のロケーションをカバーする前記少なくとも１つのセルネ
ットワークの前記セル識別情報を獲得するステップ
を含むことを特徴とする請求項１乃至３のいずれか一項に記載の方法。
【請求項５】
移動端末の使用領域を限定するための装置であって、前記装置は移動端末に適用され、
前記装置は、セル識別情報獲得ユニットと、整合決定ユニットと、ネットワークアクセス
ユニットと、ネットワーク放棄ユニットとを備え、
前記セル識別情報獲得ユニットは、前記移動端末の現在のロケーションをカバーする少
なくとも１つのセルネットワークのセル識別情報を獲得するように構成され、前記セルネ
ットワークは、前記移動端末によってサポートされるネットワーク規格に対応する無線通
信ネットワークに対応し、前記セル識別情報は、周波数チャネル番号情報であるか、また
は前記セル識別情報は、周波数チャネル番号情報および補助セル識別情報を含み、
前記整合決定ユニットは、前記セル識別情報が、ロックされた識別情報と整合するセル
識別情報を含んでいるかどうかを決定するように構成され、前記ロックされた識別情報の
パラメータは、前記セル識別情報のパラメータと１対１の対応関係にあり、
前記ネットワークアクセスユニットは、前記セル識別情報獲得ユニットによって獲得さ
れた前記セル識別情報が、前記ロックされた識別情報と整合する前記セル識別情報を含ん
でいる場合、前記ロックされた識別情報に対応するセルネットワークにアクセスするよう
に構成され、
前記ネットワーク放棄ユニットは、前記セル識別情報獲得ユニットによって獲得された
前記セル識別情報が、前記ロックされた識別情報と整合する前記セル識別情報を含んでい
ない場合、無線通信ネットワークへのアクセスを省略するように構成され、
前記装置は、最強ネットワーク決定ユニットと、識別情報決定ユニットと、識別情報ロ
ックユニットとをさらに備え、
前記最強ネットワーク決定ユニットは、前記整合決定ユニットによる、前記セル識別情
報が前記ロックされた識別情報と整合する前記セル識別情報を含んでいるかどうかを決定
するステップの前に、前記移動端末の前記現在のロケーションをカバーする前記少なくと
も１つのセルネットワーク内で最大信号強度を有するセルネットワークを決定し、最大信
号強度を有する前記セルネットワークに対応するセル識別情報を、前記移動端末に接続さ
れている制御デバイスに送るように構成され、
前記識別情報決定ユニットは、前記制御デバイスによって配信される領域ロック命令に
従って、最大信号強度を有する前記セルネットワークに対応する前記セル識別情報を決定
するように構成され、前記領域ロック命令は、最大信号強度を有する前記セルネットワー
クに対応する前記セル識別情報を含み、
前記識別情報ロックユニットは、最大信号強度を有する前記セルネットワークに対応す
る前記セル識別情報を、前記ロックされた識別情報として決定するように構成される
ことを特徴とする装置。
【請求項６】
前記移動端末によってサポートされる前記ネットワーク規格がＧＳＭである場合、前記
セル識別情報は、周波数チャネル番号情報であり、前記ロックされた識別情報は、ロック
された周波数チャネル番号を含み、前記移動端末によってサポートされる前記ネットワー
ク規格がＧＳＭではない場合、前記セル識別情報は、周波数チャネル番号情報および補助
セル識別情報を含み、前記ロックされた識別情報は、ロックされた周波数チャネル番号お
よびロックされた補助識別情報を含むことを特徴とする請求項５に記載の装置。
【請求項７】
前記ネットワークアクセスユニットは、具体的には、
前記獲得されたセル識別情報が、前記ロックされた識別情報と整合する前記セル識別情
報を含み、前記ロックされた識別情報と整合する前記セル識別情報の信号強度が、プリセ
ット強度閾値以上である場合、前記ロックされた識別情報に対応する前記セルネットワー
クにアクセスする
ように構成されることを特徴とする請求項５又は６に記載の装置。
【請求項８】
前記セル識別情報獲得ユニットは、周波数走査サブユニットおよび／または同報通信受
信サブユニットを備え、
前記周波数走査サブユニットは、周波数走査を実行し、前記移動端末の前記現在のロケ
ーションをカバーする前記少なくとも１つのセルネットワークの前記セル識別情報を周波
数走査結果から獲得するように構成され、
前記同報通信受信サブユニットは、セル同報通信メッセージを受け取り、前記同報通信
メッセージから、前記移動端末の前記現在のロケーションをカバーする前記少なくとも１
つのセルネットワークの前記セル識別情報を獲得するように構成されることを特徴とする
請求項５乃至７のいずれか一項に記載の装置。
【請求項９】
プロセッサと、メモリと、通信インタフェースと、バスとを備える移動端末であって、
前記プロセッサ、前記メモリ、および前記通信インタフェースは、前記バスを使用する
ことによって互いに接続され、互いに通信し、
前記メモリは、実行可能なプログラムコードを記憶し、
前記プロセッサは、前記メモリに記憶されている前記実行可能なプログラムコードを読
み出して、前記実行可能なプログラムコードに対応するプログラムを実行して、
前記移動端末の現在のロケーションをカバーする少なくとも１つのセルネットワークの
セル識別情報を獲得するステップであって、前記セルネットワークは、前記移動端末によ
ってサポートされるネットワーク規格に対応する無線通信ネットワークに対応し、前記セ
ル識別情報は、周波数チャネル番号情報であるか、または前記セル識別情報は、周波数チ
ャネル番号情報および補助セル識別情報を含むステップと、
前記セル識別情報が、ロックされた識別情報と整合するセル識別情報を含んでいるかど
うかを決定するステップであって、前記ロックされた識別情報のパラメータは、前記セル
識別情報のパラメータと１対１の対応関係にあるステップと、
前記獲得されたセル識別情報が、前記ロックされた識別情報と整合する前記セル識別情
報を含んでいる場合、前記ロックされた識別情報に対応するセルネットワークにアクセス
するステップ、または前記獲得されたセル識別情報が、前記ロックされた識別情報と整合
する前記セル識別情報を含んでいない場合、無線通信ネットワークへのアクセスを省略す
るステップと
を実行し、
前記セル識別情報が、ロックされた識別情報と整合するセル識別情報を含んでいるかど
うかを決定する前記ステップの前に、前記プロセッサは、
前記移動端末の前記現在のロケーションをカバーする前記少なくとも１つのセルネット
ワーク内で最大信号強度を有するセルネットワークを決定し、最大信号強度を有する前記
セルネットワークに対応するセル識別情報を、前記移動端末に接続されている制御デバイ
スに送るステップと、
前記制御デバイスによって配信される領域ロック命令に従って、最大信号強度を有する
前記セルネットワークに対応する前記セル識別情報を決定するステップであって、前記領
域ロック命令は、最大信号強度を有する前記セルネットワークに対応する前記セル識別情
報を含むステップと、
最大信号強度を有する前記セルネットワークに対応する前記セル識別情報を、前記ロッ
クされた識別情報として決定するステップと
をさらに実行する
ことを特徴とする移動端末。
【請求項１０】
コンピュータで実行されるとき、請求項１乃至４いずれか一項に記載の方法を前記コン
ピュータに実行させる命令を含むことを特徴とするコンピュータ読出記憶媒体。
【発明の詳細な説明】
【技術分野】
【０００１】
本発明は、移動通信の分野に関し、特に、移動端末の使用領域を限定するための方法および装置、ならびに移動端末に関する。
【背景技術】
【０００２】
特定の目的のために、いくつかの移動端末（例えば、移動電話、ＰＯＳマシン、および携帯型無線広帯域装置ＭｉＦｉ）の使用範囲は、限定される必要があることが多い。規定された使用範囲内においてのみ、これらの移動端末は、通信事業者によって提供される音声通信サービス、ショートメッセージサービス、またはデータ通信サービスなどの無線通信サービスを正常に使用することができる。例えば、ＭｉＦｉは、規定された領域においてのみ使用され得る。ＭｉＦｉが、規定された領域に存在している場合、ＭｉＦｉは、別のデバイスのために無線ネットワークを提供するように正常に動作することができる。ＭｉＦｉが、規定された領域外に存在している場合、ＭｉＦｉは、正常に動作することができず、別のデバイスのために無線ネットワークを提供することができない。
【０００３】
従来技術においては、移動端末の使用範囲は、ロケーションエリアコード（ＬＡＣ、Ｌｏｃａｔｉｏｎ  Ａｒｅａ  Ｃｏｄｅ）をロックすることによって限定される。移動端末が、ロックされたロケーションエリアコードによって識別される領域に存在している場合、この移動端末は、無線通信サービスを正常に使用することができる。そうでない場合、移動端末は、無線通信サービスを正常に使用することができない。
【０００４】
しかしながら、ロケーションエリアコードによって識別される領域は、極端に広く、地域または国家でさえ、ロケーションエリアコードによって識別される領域に存在している。したがって、従来技術においては、移動端末の使用範囲が正確に限定され得ない。
【発明の概要】
【０００５】
本発明の実施形態は、移動端末の使用領域を限定するための方法および装置、ならびに移動端末を提供し、移動端末の使用範囲をより正確に限定する。解決法は以下の通りである。
【０００６】
第１の態様によれば、移動端末の使用領域を限定するための方法が提供される。本方法は移動端末に適用され、本方法は、
移動端末の現在のロケーションをカバーする少なくとも１つのセルネットワークのセル識別情報を獲得するステップであって、セルネットワークは、移動端末によってサポートされるネットワーク規格に対応する無線通信ネットワークに対応し、セル識別情報は、周波数チャネル番号情報であるか、またはセル識別情報は、周波数チャネル番号情報および補助セル識別情報を含むステップと、
セル識別情報が、ロックされた識別情報と整合するセル識別情報を含んでいるかどうかを決定するステップであって、ロックされた識別情報のパラメータは、セル識別情報のパラメータと１対１の対応関係にあるステップと、
獲得されたセル識別情報が、ロックされた識別情報と整合するセル識別情報を含んでいる場合、移動端末によって、ロックされた識別情報に対応するセルネットワークにアクセスするステップ、または獲得されたセル識別情報が、ロックされた識別情報と整合するセル識別情報を含んでいない場合、移動端末によって、無線通信ネットワークへのアクセスを省略するステップと
を含む。
【０００７】
第１の態様を参照すると、第１の可能実施態様方式では、移動端末によってサポートされるネットワーク規格がＧＳＭ（登録商標）である場合、セル識別情報は、周波数チャネル番号情報であり、ロックされた識別情報は、ロックされた周波数チャネル番号を含み、移動端末によってサポートされるネットワーク規格がＧＳＭではない場合、セル識別情報は、周波数チャネル番号情報および補助セル識別情報を含み、ロックされた識別情報は、ロックされた周波数チャネル番号およびロックされた補助識別情報を含む。
【０００８】
第１の態様を参照すると、第２の可能実施態様方式では、セル識別情報が、ロックされた識別情報と整合するセル識別情報を含んでいるかどうかを決定するステップの前に、本方法は、
移動端末の現在のロケーションをカバーする少なくとも１つのセルネットワーク内で最大信号強度を有するセルネットワークを決定し、最大信号強度を有するセルネットワークに対応するセル識別情報を、移動デバイスに接続されている制御デバイスに送るステップと、
制御デバイスによって配信される領域ロック命令に従って、最大信号強度を有するセルネットワークに対応するセル識別情報を決定するステップであって、領域ロック命令は、最大信号強度を有するセルネットワークに対応するセル識別情報を含むステップと、
最大信号強度を有するセルネットワークに対応するセル識別情報を、ロックされた識別情報として決定するステップと
をさらに含む。
【０００９】
第１の態様を参照すると、第３の可能実施態様方式では、獲得されたセル識別情報が、ロックされた識別情報と整合するセル識別情報を含んでいる場合、移動端末によって、ロックされた識別情報に対応するセルネットワークにアクセスするステップは、
獲得されたセル識別情報が、ロックされた識別情報と整合するセル識別情報を含み、ロックされた識別情報と整合するセル識別情報の信号強度が、プリセット強度閾値以上である場合、移動端末によって、ロックされた識別情報に対応するセルネットワークにアクセスするステップ
を含む。
【００１０】
第１の態様の第１の可能実施態様方式から第３の可能実施態様方式を参照すると、第４の可能実施態様方式では、移動端末の現在のロケーションをカバーする少なくとも１つのセルネットワークのセル識別情報を獲得するステップは、
移動端末によって、周波数走査を実行し、移動端末の現在のロケーションをカバーする少なくとも１つのセルネットワークのセル識別情報を周波数走査結果から獲得するステップ、または
移動端末によって、セル同報通信メッセージを受け取り、同報通信メッセージから、移動端末の現在のロケーションをカバーする少なくとも１つのセルネットワークのセル識別情報を獲得するステップ
を含む。
【００１１】
第２の態様によれば、移動端末の使用領域を限定するための装置が提供される。本装置は移動端末に適用され、本装置は、セル識別情報獲得ユニットと、整合決定ユニットと、ネットワークアクセスユニットと、ネットワーク放棄ユニットとを含み、
セル識別情報獲得ユニットは、移動端末の現在のロケーションをカバーする少なくとも１つのセルネットワークのセル識別情報を獲得するように構成され、セルネットワークは、移動端末によってサポートされるネットワーク規格に対応する無線通信ネットワークに対応し、セル識別情報は、周波数チャネル番号情報であるか、またはセル識別情報は、周波数チャネル番号情報および補助セル識別情報を含み、
整合決定ユニットは、セル識別情報が、ロックされた識別情報と整合するセル識別情報を含んでいるかどうかを決定するように構成され、ロックされた識別情報のパラメータは、セル識別情報のパラメータと１対１の対応関係にあり、
ネットワークアクセスユニットは、セル識別情報獲得ユニットによって獲得されたセル識別情報が、ロックされた識別情報と整合するセル識別情報を含んでいる場合、ロックされた識別情報に対応するセルネットワークにアクセスするように構成され、
ネットワーク放棄ユニットは、セル識別情報獲得ユニットによって獲得されたセル識別情報が、ロックされた識別情報と整合するセル識別情報を含んでいない場合、無線通信ネットワークへのアクセスを省略するように構成される。
【００１２】
第２の態様を参照すると、第１の可能実施態様方式では、移動端末によってサポートされるネットワーク規格がＧＳＭである場合、セル識別情報は、周波数チャネル番号情報であり、ロックされた識別情報は、ロックされた周波数チャネル番号を含み、移動端末によってサポートされるネットワーク規格がＧＳＭではない場合、セル識別情報は、周波数チャネル番号情報および補助セル識別情報を含み、ロックされた識別情報は、ロックされた周波数チャネル番号およびロックされた補助識別情報を含む。
【００１３】
第２の態様を参照すると、第２の可能実施態様方式では、本装置は、最強ネットワーク決定ユニットと、識別情報決定ユニットと、識別情報ロックユニットとをさらに含み、
最強ネットワーク決定ユニットは、整合決定ユニットによる、セル識別情報がロックされた識別情報と整合するセル識別情報を含んでいるかどうかを決定するステップの前に、移動端末の現在のロケーションをカバーする少なくとも１つのセルネットワーク内で最大信号強度を有するセルネットワークを決定し、最大信号強度を有するセルネットワークに対応するセル識別情報を、移動デバイスに接続されている制御デバイスに送るように構成され、
識別情報決定ユニットは、制御デバイスによって配信される領域ロック命令に従って、最大信号強度を有するセルネットワークに対応するセル識別情報を決定するように構成され、領域ロック命令は、最大信号強度を有するセルネットワークに対応するセル識別情報を含み、
識別情報ロックユニットは、最大信号強度を有するセルネットワークに対応するセル識別情報を、ロックされた識別情報として決定するように構成される。
【００１４】
第２の態様を参照すると、第３の可能実施態様方式では、ネットワークアクセスユニットは、具体的には、
獲得されたセル識別情報が、ロックされた識別情報と整合するセル識別情報を含み、ロックされた識別情報と整合するセル識別情報の信号強度が、プリセット強度閾値以上である場合、移動端末によって、ロックされた識別情報に対応するセルネットワークにアクセスする
ように構成される。
【００１５】
第２の態様の第１の可能実施態様方式から第３の可能実施態様方式を参照すると、第４の可能実施態様方式では、セル識別情報獲得ユニットは、周波数走査サブユニットおよび／または同報通信受信サブユニットを含み、
周波数走査サブユニットは、周波数走査を実行し、移動端末の現在のロケーションをカバーする少なくとも１つのセルネットワークのセル識別情報を周波数走査結果から獲得するように構成され、
同報通信受信サブユニットは、セル同報通信メッセージを受け取り、同報通信メッセージから、移動端末の現在のロケーションをカバーする少なくとも１つのセルネットワークのセル識別情報を獲得するように構成される。
【００１６】
第３の態様によれば、記憶媒体が提供される。記憶媒体は、アプリケーションプログラムを記憶するように構成される。アプリケーションプログラムが実行されると、本発明の実施形態における、移動端末の使用領域を限定するための方法が実行される。本発明の実施形態における、移動端末の使用領域を限定するための方法は、移動端末に適用され、本方法は、
移動端末の現在のロケーションをカバーする少なくとも１つのセルネットワークのセル識別情報を獲得するステップであって、セルネットワークは、移動端末によってサポートされるネットワーク規格に対応する無線通信ネットワークに対応し、セル識別情報は、周波数チャネル番号情報であるか、またはセル識別情報は、周波数チャネル番号情報および補助セル識別情報を含むステップと、
セル識別情報が、ロックされた識別情報と整合するセル識別情報を含んでいるかどうかを決定するステップであって、ロックされた識別情報のパラメータは、セル識別情報のパラメータと１対１の対応関係にあるステップと、
獲得されたセル識別情報が、ロックされた識別情報と整合するセル識別情報を含んでいる場合、移動端末によって、ロックされた識別情報に対応するセルネットワークにアクセスするステップ、または獲得されたセル識別情報が、ロックされた識別情報と整合するセル識別情報を含んでいない場合、移動端末によって、無線通信ネットワークへのアクセスを省略するステップと
を含み得る。
【００１７】
第４の態様によれば、アプリケーションプログラムが提供される。アプリケーションプログラムが実行されると、本発明の実施形態における、移動端末の使用領域を限定するための方法が実行される。本発明の実施形態における、移動端末の使用領域を限定するための方法は、移動端末に適用され、本方法は、
移動端末の現在のロケーションをカバーする少なくとも１つのセルネットワークのセル識別情報を獲得するステップであって、セルネットワークは、移動端末によってサポートされるネットワーク規格に対応する無線通信ネットワークに対応し、セル識別情報は、周波数チャネル番号情報であるか、またはセル識別情報は、周波数チャネル番号情報および補助セル識別情報を含むステップと、
セル識別情報が、ロックされた識別情報と整合するセル識別情報を含んでいるかどうかを決定するステップであって、ロックされた識別情報のパラメータは、セル識別情報のパラメータと１対１の対応関係にあるステップと、
獲得されたセル識別情報が、ロックされた識別情報と整合するセル識別情報を含んでいる場合、移動端末によって、ロックされた識別情報に対応するセルネットワークにアクセスするステップ、または獲得されたセル識別情報が、ロックされた識別情報と整合するセル識別情報を含んでいない場合、移動端末によって、無線通信ネットワークへのアクセスを省略するステップと
を含み得る。
【００１８】
第５の態様によれば、プロセッサと、メモリと、通信インタフェースと、バスとを含む移動端末が提供され、
プロセッサ、メモリおよび通信インタフェースは、バスを使用することによって互いに接続され、互いに通信し、
メモリは、実行可能なプログラムコードを記憶し、
プロセッサは、メモリに記憶されている実行可能なプログラムコードを読み出して、実行可能なプログラムコードに対応するプログラムを実行して、
移動端末の現在のロケーションをカバーする少なくとも１つのセルネットワークのセル識別情報を獲得するステップであって、セルネットワークは、移動端末によってサポートされるネットワーク規格に対応する無線通信ネットワークに対応し、セル識別情報は、周波数チャネル番号情報であるか、またはセル識別情報は、周波数チャネル番号情報および補助セル識別情報を含むステップと、
セル識別情報が、ロックされた識別情報と整合するセル識別情報を含んでいるかどうかを決定するステップであって、ロックされた識別情報のパラメータは、セル識別情報のパラメータと１対１の対応関係にあるステップと、
獲得されたセル識別情報が、ロックされた識別情報と整合するセル識別情報を含んでいる場合、ロックされた識別情報に対応するセルネットワークにアクセスするステップ、または獲得されたセル識別情報が、ロックされた識別情報と整合するセル識別情報を含んでいない場合、無線通信ネットワークへのアクセスを省略するステップと
を実行する。
【００１９】
上記技術的解決法から知られ得るように、本発明の実施形態における、移動端末の使用領域を限定するための方法および装置、ならびに移動端末によれば、移動端末の現在のロケーションをカバーするセルネットワークのセル識別情報が獲得され得る。獲得されたセル識別情報が、ロックされた識別情報と整合するセル識別情報を含んでいる場合、移動端末は、ロックされた識別情報に対応するセルネットワークにアクセスし、そうでない場合、移動端末は、無線通信ネットワークへのアクセスを省略する。本発明においては、現在のロケーションにおけるセルネットワークのセル識別情報は、移動端末のセルネットワークアクセスを制御するために、ロックされた識別情報と比較される。本発明においては、セルに対応する領域は、ロケーションエリアコードに対応する領域より小さいため、移動端末の使用範囲がより正確に限定され得る。
【図面の簡単な説明】
【００２０】
本発明の実施形態における、または従来技術における技術的解決法をより明確に説明するために、以下は、実施形態または従来技術に必要な添付の図面を簡単に説明する。明らかに、以下の説明における添付の図面は、本発明のいくつかの実施形態を示したものにすぎず、当業者は、創造的な努力なしに、依然としてこれらの添付の図面から他の図面を導き得る。
【００２１】
【図１】本発明の実施形態による、移動端末の使用領域を限定するための方法のフローチャートである。
【図２】本発明の実施形態による、無線通信ネットワークのカバレッジの略線図である。
【図３】本発明の実施形態による、移動端末の使用領域を限定するための別の方法のフローチャートである。
【図４】本発明の実施形態による、制御デバイスと移動端末との間の通信の略線図である。
【図５】本発明の実施形態による、移動端末の使用領域を限定するための装置の概略構造図である。
【図６】本発明の実施形態による、移動端末の使用領域を限定するための別の装置の概略構造図である。
【図７】本発明の実施形態による移動端末の概略構造図である。
【発明を実施するための形態】
【００２２】
本発明の目的、技術的解決法および利点を明らかにし、よりわかりやすくするために、以下は、添付の図面および実施形態を参照して本発明をさらに詳細に説明する。明らかに、説明される実施形態は、本発明の実施形態の一部にすぎず、そのすべてではない。本発明の実施形態に基づいて、創造的な努力なしに当業者によって獲得されるすべての他の実施形態は、本発明の保護範囲内に収まるべきものである。
【００２３】
図１に示されているように、本発明の実施形態は、移動端末の使用領域を限定するための方法を提供する。本方法は移動端末に適用され、本方法は、以下のステップを含み得る。
【００２４】
Ｓ１００：  移動端末の現在のロケーションをカバーする少なくとも１つのセルネットワークのセル識別情報を獲得するステップであって、セルネットワークは、移動端末によってサポートされるネットワーク規格に対応する無線通信ネットワークに対応し、セル識別情報は、周波数チャネル番号情報であるか、またはセル識別情報は、周波数チャネル番号情報および補助セル識別情報を含むステップ。
【００２５】
移動端末は、移動電話、ＰＯＳマシン、携帯型無線広帯域装置、等々であってもよい。
【００２６】
セル（セルラセルとも呼ばれる）は、無線通信ネットワーク上の最小単位であり、複数のセルは、ロケーションエリアコードに対応する領域を形成し得る。セルは、ロケーションエリアコードに対応する領域より小さい。
【００２７】
周波数チャネル番号情報は、固定された周波数の番号である。同じ周波数チャネル番号情報に起因する妨害を回避するために、領域内におけるセルの周波数チャネル番号情報は互いに異なっている。セルの周波数チャネル番号情報は、移動通信のための大域システム（ＧＳＭ、Ｇｌｏｂａｌ  Ｓｙｓｔｅｍ  ｆｏｒ  Ｍｏｂｉｌｅ  Ｃｏｍｍｕｎｉｃａｔｉｏｎ）の規格を使用している通信装置の広いエリア内で互いに異なっている。したがって、移動端末によって獲得される、現在のロケーションをカバーする無線通信ネットワークのセルの周波数チャネル番号情報は互いに異なっている。
【００２８】
周波数多重化技術は、広帯域符号分割多重アクセス（ＷＣＤＭＡ（登録商標）、Ｗｉｄｅｂａｎｄ  Ｃｏｄｅ  Ｄｉｖｉｓｉｏｎ  Ｍｕｌｔｉｐｌｅ  Ａｃｃｅｓｓ）、時分割同期符号分割多重アクセス（ＴＤ−ＳＣＤＭＡ、Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）またはロングタームエボリューション（ＬＴＥ、Ｌｏｎｇ  Ｔｅｒｍ  Ｅｖｏｌｕｔｉｏｎ）などのネットワーク規格に使用されている。したがって、移動端末によって獲得される、現在のロケーションをカバーするセルネットワークの周波数チャネル番号情報は、同じであってもよい。したがって、誤操作を低減するためにセルの補助セル識別情報が同じく獲得され、それにより、セルを識別し得る。ＷＣＤＭＡでは、補助セル識別情報は主スクランブリングコードである。ＴＤ−ＳＣＤＭＡでは、補助セル識別情報はスクランブリングコードである。ＬＴＥでは、補助セル識別情報は物理層セル番号である。セルは、誤操作を低減するために、セルの周波数チャネル番号情報およびセルの補助セル識別情報を使用することによってより正確に区別され得る。セル識別情報は、周波数チャネル番号情報および補助セル識別情報からなっていてもよい。
【００２９】
異なるネットワーク規格には異なる周波数帯域が使用されることが理解され得る。例えば、ＧＳＭ規格には、周波数帯域９００ＭＨｚおよび周波数帯域１８００ＭＨｚの周波数チャネル番号が使用される。移動端末がＧＳＭ規格のみをサポートする場合、周波数帯域９００ＭＨｚおよび周波数帯域１８００ＭＨｚの周波数チャネル番号情報が獲得され得る。
【００３０】
さらに、あるいは、移動端末の現在のロケーションをカバーする第１の通信事業者の少なくとも１つのセルネットワークのセル識別情報のみが獲得され得る。第１の通信事業者は、移動端末の加入者識別モジュールカード／汎用加入者識別モジュールカードを提供する通信事業者である。
【００３１】
例えば、ＧＳＭ規格における周波数帯域９００ＭＨｚの場合、Ｃｈｉｎａ  Ｍｏｂｉｌｅのダウンリンク周波数帯域は９３５〜９５４ＭＨｚであり、Ｃｈｉｎａ  Ｕｎｉｃｏｍのダウンリンク周波数帯域は９５４〜９６０ＭＨｚである。移動端末の加入者識別モジュールカード／汎用加入者識別モジュールカードが、Ｃｈｉｎａ  Ｍｏｂｉｌｅによって提供される場合、９３５〜９５４ＭＨｚの周波数チャネル番号情報のみが獲得され得る。
【００３２】
セルネットワークの無線通信信号は、基地局によって提供され、１つの基地局は、１つまたは複数のセルネットワークのための無線通信信号を提供し得る。複数のセルネットワークが移動端末の現在のロケーションをカバーする場合、移動端末は、基地局によって提供される複数のセルネットワークの無線通信信号を獲得し得る。図２に示されているように、基地局２０１は、セルネットワークＡのための無線通信信号を提供し、基地局２０２は、セルネットワークＢのための無線通信信号を提供し、基地局２０３は、セルネットワークＣのための無線通信信号を提供し、３つのセルネットワークＡ、ＢおよびＣの無線通信信号は、移動端末２００の現在のロケーションをカバーすることが仮定されている。この場合、移動端末２００は、現在のロケーションにおける３つのセルネットワークＡ、ＢおよびＣのセル識別情報を獲得し得る。
【００３３】
移動端末は、周波数走査を実行するか、またはセル同報通信メッセージを受け取ることによってセル識別情報を獲得し得る。具体的にはＳ１００は、
移動端末によって周波数走査を実行するステップ、および移動端末の現在のロケーションをカバーする少なくとも１つのセルネットワークのセル識別情報を周波数走査結果から獲得するステップ、または
移動端末によってセル同報通信メッセージを受け取り、同報通信メッセージから、移動端末の現在のロケーションをカバーする少なくとも１つのセルネットワークのセル識別情報を獲得するステップ
を含み得る。
【００３４】
Ｓ２００：  セル識別情報が、ロックされた識別情報と整合するセル識別情報を含んでいるかどうかを決定し、ロックされた識別情報のパラメータは、セル識別情報のパラメータと１対１の対応関係にある。
【００３５】
移動端末によってサポートされるネットワーク規格がＧＳＭである場合、セル識別情報は、周波数チャネル番号情報であり、ロックされた識別情報は、ロックされた周波数チャネル番号を含み、移動端末によってサポートされるネットワーク規格がＧＳＭではない場合、セル識別情報は、周波数チャネル番号情報および補助セル識別情報を含み、ロックされた識別情報は、ロックされた周波数チャネル番号およびロックされた補助識別情報を含む。
【００３６】
Ｓ３００：  獲得されたセル識別情報が、ロックされた識別情報と整合するセル識別情報を含んでいる場合、移動端末は、ロックされた識別情報に対応するセルネットワークにアクセスする。
【００３７】
Ｓ４００：  獲得されたセル識別情報が、ロックされた識別情報と整合するセル識別情報を含んでいない場合、移動端末は、無線通信ネットワークへのアクセスを省略する。
【００３８】
具体的には、移動端末のネットワークアクセス機能は、ネットワークを放棄するために、特定の期間の間、無線通信ネットワークにアクセスしないようにロックされ得る。例えば、移動端末のセル引渡しおよびセル再選択機能がロックされる。移動端末のネットワークアクセス機能がロックされている期間が特定の期間を超えると、Ｓ１００に戻る。
【００３９】
ロックされる識別情報は、限定された領域内でカバーされるセルのセル識別情報であってもよい。限定される領域は、工場などの、移動端末を限定する必要がある使用領域である。１つまたは少なくとも２つのロックされた識別情報が存在し得る。
【００４０】
任意選択で、獲得されたセル識別情報が、ロックされた識別情報と整合するセル識別情報のみを含んでいる場合、ロックされた識別情報に対応するセルネットワークがアクセスされ得る。獲得されたセル識別情報が、ロックされた識別情報と整合する少なくとも２つのセル識別情報を含んでいる場合、１つのロックされた識別情報に対応するセルネットワークがアクセスされ得る。好ましくは、ロックされた識別情報に対応し、最大信号強度を有するセルネットワークがアクセスされ得る。
【００４１】
任意選択で、Ｓ３００は、
獲得されたセル識別情報が、ロックされた識別情報と整合するセル識別情報を含み、ロックされた識別情報と整合するセル識別情報の信号強度が、プリセット強度閾値以上である場合、移動端末によって、ロックされた識別情報に対応するセルネットワークにアクセスするステップ
を含み得る。
【００４２】
いくつかの事例では、移動端末は、ロックされた識別情報に対応するセルネットワークにアクセスすることができるが、セルネットワークは、比較的貧弱な信号強度を有しており、ユーザのための望ましい通信サービスを提供することができない。したがって、ユーザのための望ましい通信サービスが提供されることを保証するために、信号強度が比較的高い場合、ロックされた識別情報に対応するセルネットワークがアクセスされ得る。
【００４３】
本発明のこの実施形態において提供される、移動端末の使用領域を限定するための方法によれば、移動端末の現在のロケーションをカバーするセルネットワークのセル識別情報が獲得され得る。獲得されたセル識別情報が、ロックされた識別情報と整合するセル識別情報を含んでいる場合、移動端末は、ロックされた識別情報に対応するセルネットワークにアクセスし、そうでない場合、移動端末は、無線通信ネットワークへのアクセスを省略する。本発明においては、現在のロケーションにおけるセルネットワークのセル識別情報は、移動端末のセルネットワークアクセスを制御するために、ロックされた識別情報と比較される。本発明においては、セルに対応する領域は、ロケーションエリアコードに対応する領域より小さいため、移動端末の使用範囲がより正確に限定され得る。
【００４４】
図１に示されている実施形態に基づいて、図３に示されているように、本発明の実施形態は、移動端末の使用領域を限定するための別の方法を提供する。Ｓ２００の前に、本方法は、以下のステップをさらに含み得る。
【００４５】
Ｓ１０１：  移動端末の現在のロケーションをカバーする少なくとも１つのセルネットワーク内に最大信号強度を有するセルネットワークを決定し、最大信号強度を有するセルネットワークに対応するセル識別情報を、移動デバイスに接続されている制御デバイスに送る。
【００４６】
本発明の別の実施形態では、あるいは、移動端末の現在のロケーションをカバーする別のセルネットワークに対応するセル識別情報も制御デバイスに送られ得る。複数のセル識別情報が制御デバイスに送られる場合、信号強度情報が同時に制御デバイスに送られ得る。
【００４７】
Ｓ１０２：  制御デバイスによって配信される領域ロック命令に従って、最大信号強度を有するセルネットワークに対応するセル識別情報を決定し、領域ロック命令は、最大信号強度を有するセルネットワークに対応するセル識別情報を含む。
【００４８】
領域ロック命令は、ユーザが制御デバイス上で領域ロッキング操作を実行した後に、制御デバイスによって配信され得るか、または制御デバイスによって自動的に配信され得る。
【００４９】
Ｓ１０３：  最大信号強度を有するセルネットワークに対応するセル識別情報をロックされた識別情報として決定する。
【００５０】
移動端末が限定された領域に位置している場合、Ｓ１０１からＳ１０３が実行され得ることが理解され得る。最大信号強度を有するセルネットワークは、限定された領域の現在のロケーションにおける移動端末のための無線通信サービスを提供するセルネットワークのうちの１つである。セルネットワークは最大信号強度を有しており、したがって、最も高い無線通信サービス品質を提供する。最大信号強度を有するセルネットワークに対応するセル識別情報が、ロックされた識別情報として設定されると、移動端末は、より良好なサービス品質を有するセルネットワークにアクセスすることができる。
【００５１】
Ｓ１０１からＳ１０３は、ロックされた識別情報を設定するプロセスである。設定プロセスは、Ｓ２００が実行される前毎に実行される必要はないことが理解され得る。あるいはＳ１０１からＳ１０３は、Ｓ１００の前に実行されてもよく、Ｓ１０１からＳ１０３およびＳ１００を実行するシーケンスは、本発明においては制限されない。
【００５２】
制御デバイスは、移動端末と通信接続状態にあるサーバ、パーソナルコンピュータ、移動デバイス、等々であってもよい。本発明においては、移動端末は、ＷｉＦｉ、ＵＳＢパス、等々を使用することによって制御デバイスと通信接続状態にあってもよい。ステップＳ１０３が実行された後、図１に示されているステップＳ２００が実施を開始し得る。ステップＳ３００またはＳ４００を実行した後、移動端末は、さらに、セルネットワークアクセス結果、例えば、セルネットワークがアクセスされるかどうか、またはアクセスされるセルネットワークに関する情報を制御デバイスに返し得る。
【００５３】
制御デバイスがＵＳＢパスを使用することによって移動端末と通信接続状態にある場合、図４を参照すると、移動端末５０２が制御デバイス５０１と通信して、ロックされた識別情報を設定し、セルへのアクセスを試行するプロセスは、
ステップ１：  制御デバイス５０１によって、ＵＳＢパスを使用することによって、セル識別情報を獲得するための第１の制御命令を移動端末５０２に配信する
ステップ２：  移動端末５０２がＵＳＢポートを使用することによって第１の制御命令を受け取った後、ＵＳＢポートによって第１の制御命令を非アクセス層へ転送する
ステップ３：  非アクセス層によって第１の制御命令を構文解析し、構文解析後に獲得されるメッセージをアクセス層に送る
ステップ４：  アクセス層によって周波数走査を実行するか、または同報通信メッセージを受け取り、移動端末５０２の現在のロケーションをカバーする少なくとも１つのセルネットワークのセル識別情報を獲得し、移動端末５０２の現在のロケーションをカバーする少なくとも１つのセルネットワーク内に最大信号強度を有するセルネットワークを決定し、最大信号強度を有するセルネットワークに対応するセル識別情報を非アクセス層に送る
ステップ５：  非アクセス層によって、ＵＳＢパスを使用することによって制御デバイス５０１に、アクセス層によって送られるセル識別情報を送る
ステップ６：  制御デバイス５０１によって、ＵＳＢパスを使用することによって領域ロック命令を移動端末５０２に送り、領域ロック命令は、最大信号強度を有するセルネットワークに対応するセル識別情報を含む
ステップ７：  移動端末５０２のＵＳＢポートにより、領域ロック命令を非アクセス層へ転送する
ステップ８：  非アクセス層によって領域ロック命令を構文解析し、構文解析後に獲得されるメッセージをアクセス層に送り、構文解析後に獲得されるメッセージは、最大信号強度を有するセルネットワークに対応するセル識別情報を含む
ステップ９：  アクセス層によって、最大信号強度を有するセルネットワークに対応するセル識別情報をロックされた識別情報として設定し、ステップ４で獲得されたセル識別情報から、ロックされた識別情報と整合するセル識別情報を探索し、ロックされた識別情報と整合するセル識別情報が見出されると、ロックされた識別情報に対応するセルネットワークにアクセスし、そうでない場合、無線通信ネットワークへのアクセスを省略して、ネットワーク放棄処理を実行する
ステップ１０：  移動端末５０２によって、ＵＳＢパスを使用することによってステップ９の処理結果を制御デバイス５０１に返す
を含み得る。
【００５４】
アクセス層および非アクセス層は、移動端末通信技術の従来技術であり、当業者は、アクセス層および非アクセス層の上記動作プロセスを理解することができる。
【００５５】
本発明は、さらに、上記方法実施形態と一致する、移動端末の使用領域を限定するための装置を提供する。
【００５６】
図５に示されているように、本発明の実施形態は、移動端末の使用領域を限定するための装置を提供する。本装置は移動端末に適用され、本装置は、セル識別情報獲得ユニット１００、整合決定ユニット２００、ネットワークアクセスユニット３００およびネットワーク放棄ユニット４００を含み得る。
【００５７】
セル識別情報獲得ユニット１００は、移動端末の現在のロケーションをカバーする少なくとも１つのセルネットワークのセル識別情報を獲得するように構成され、セルネットワークは、移動端末によってサポートされるネットワーク規格に対応する無線通信ネットワークに対応し、セル識別情報は、周波数チャネル番号情報であるか、またはセル識別情報は、周波数チャネル番号情報および補助セル識別情報を含む。
【００５８】
移動端末は、移動電話、ＰＯＳマシン、携帯型無線広帯域装置、等々であってもよい。
【００５９】
セル識別情報獲得ユニット１００は、周波数走査サブユニットおよび／または同報通信受信サブユニットを含み得る。
【００６０】
周波数走査サブユニットは、周波数走査を実行し、移動端末の現在のロケーションをカバーする少なくとも１つのセルネットワークのセル識別情報を周波数走査結果から獲得するように構成される。
【００６１】
同報通信受信サブユニットは、セル同報通信メッセージを受け取り、同報通信メッセージから、移動端末の現在のロケーションをカバーする少なくとも１つのセルネットワークのセル識別情報を獲得するように構成される。
【００６２】
整合決定ユニット２００は、セル識別情報が、ロックされた識別情報と整合するセル識別情報を含んでいるかどうかを決定するように構成され、ロックされた識別情報のパラメータは、セル識別情報のパラメータと１対１の対応関係にある。
【００６３】
移動端末によってサポートされるネットワーク規格がＧＳＭである場合、セル識別情報は、周波数チャネル番号情報であり、ロックされた識別情報は、ロックされた周波数チャネル番号を含み、移動端末によってサポートされるネットワーク規格がＧＳＭではない場合、セル識別情報は、周波数チャネル番号情報および補助セル識別情報を含み、ロックされた識別情報は、ロックされた周波数チャネル番号およびロックされた補助識別情報を含む。
【００６４】
ネットワークアクセスユニット３００は、セル識別情報獲得ユニット１００によって獲得されたセル識別情報が、ロックされた識別情報と整合するセル識別情報を含んでいる場合、ロックされた識別情報に対応するセルネットワークにアクセスするように構成される。
【００６５】
ネットワーク放棄ユニット４００は、セル識別情報獲得ユニット１００によって獲得されたセル識別情報が、ロックされた識別情報と整合するセル識別情報を含んでいない場合、無線通信ネットワークへのアクセスを省略するように構成される。
【００６６】
具体的には、移動端末のネットワークアクセス機能は、ネットワークを放棄するために、特定の期間の間、無線通信ネットワークにアクセスしないようロックされ得る。例えば、移動端末のセル引渡しおよびセル再選択機能がロックされる。移動端末のネットワークアクセス機能がロックされている期間が特定の期間を超えると、セル識別情報獲得ユニット１００が再びトリガされ得る。
【００６７】
ネットワークアクセスユニット３００は、具体的には、
獲得されたセル識別情報が、ロックされた識別情報と整合するセル識別情報を含み、ロックされた識別情報と整合するセル識別情報の信号強度が、プリセット強度閾値以上である場合、移動端末によって、ロックされた識別情報に対応するセルネットワークにアクセスする
ように構成され得る。
【００６８】
いくつかの事例では、移動端末は、ロックされた識別情報に対応するセルネットワークにアクセスすることができるが、セルネットワークは、比較的貧弱な信号強度を有しており、ユーザのための望ましい通信サービスを提供することができない。したがって、ユーザのための望ましい通信サービスが提供されることを保証するために、信号強度が比較的高い場合、ロックされた識別情報に対応するセルネットワークがアクセスされ得る。
【００６９】
本発明のこの実施形態において提供される、移動端末の使用領域を限定するための装置によれば、移動端末の現在のロケーションをカバーするセルネットワークのセル識別情報が獲得され得る。獲得されたセル識別情報が、ロックされた識別情報と整合するセル識別情報を含んでいる場合、移動端末は、ロックされた識別情報に対応するセルネットワークにアクセスし、そうでない場合、移動端末は、無線通信ネットワークへのアクセスを省略する。本発明においては、現在のロケーションにおけるセルネットワークのセル識別情報は、移動端末のセルネットワークアクセスを制御するために、ロックされた識別情報と比較される。本発明においては、セルに対応する領域は、ロケーションエリアコードに対応する領域より小さいため、移動端末の使用範囲がより正確に限定され得る。
【００７０】
図５に示されている実施形態に基づいて、図６に示されているように、本発明の実施形態は、移動端末の使用領域を限定するための別の装置を提供する。本装置は、最強ネットワーク決定ユニット１０１、識別情報決定ユニット１０２および識別情報ロックユニット１０３をさらに含み得る。
【００７１】
最強ネットワーク決定ユニット１０１は、整合決定ユニット２００による、セル識別情報が、ロックされた識別情報と整合するセル識別情報を含んでいるかどうかを決定するステップの前に、移動端末の現在のロケーションをカバーする少なくとも１つのセルネットワーク内に最大信号強度を有するセルネットワークを決定し、最大信号強度を有するセルネットワークに対応するセル識別情報を、移動デバイスに接続されている制御デバイスに送るように構成される。
【００７２】
識別情報決定ユニット１０２は、制御デバイスによって配信される領域ロック命令に従って、最大信号強度を有するセルネットワークに対応するセル識別情報を決定するように構成され、領域ロック命令は、最大信号強度を有するセルネットワークに対応するセル識別情報を含む。
【００７３】
領域ロック命令は、ユーザが制御デバイス上で領域ロッキング操作を実行した後に、制御デバイスによって配信され得るか、または制御デバイスによって自動的に配信され得る。
【００７４】
識別情報ロックユニット１０３は、最大信号強度を有するセルネットワークに対応するセル識別情報を、ロックされた識別情報として決定するように構成される。
【００７５】
最大信号強度を有するセルネットワークは、限定された領域の現在のロケーションにおける移動端末のための無線通信サービスを提供するセルネットワークのうちの１つである。セルネットワークは最大信号強度を有しており、したがって、最も高い無線通信サービス品質を提供する。最大信号強度を有するセルネットワークに対応するセル識別情報が、ロックされた識別情報として設定されると、移動端末は、より良好なサービス品質を有するセルネットワークにアクセスすることができる。
【００７６】
制御デバイスは、移動端末と通信接続状態にあるサーバ、パーソナルコンピュータ、移動デバイス、等々であってもよい。本発明においては、移動端末は、ＷｉＦｉ、ＵＳＢパス、等々を使用することによって制御デバイスと通信接続状態にあってもよい。
【００７７】
相応的に、本発明の実施形態は、さらに記憶媒体を提供する。記憶媒体は、アプリケーションプログラムを記憶するように構成される。アプリケーションプログラムが実行されると、本発明の実施形態における、移動端末の使用領域を限定するための方法が実行される。本発明の実施形態における、移動端末の使用領域を限定するための方法は移動端末に適用され、本方法は、
移動端末の現在のロケーションをカバーする少なくとも１つのセルネットワークのセル識別情報を獲得するステップであって、セルネットワークは、移動端末によってサポートされるネットワーク規格に対応する無線通信ネットワークに対応し、セル識別情報は、周波数チャネル番号情報であるか、またはセル識別情報は、周波数チャネル番号情報および補助セル識別情報を含むステップと、
セル識別情報が、ロックされた識別情報と整合するセル識別情報を含んでいるかどうかを決定するステップであって、ロックされた識別情報のパラメータは、セル識別情報のパラメータと１対１の対応関係にあるステップと、
獲得されたセル識別情報が、ロックされた識別情報と整合するセル識別情報を含んでいる場合、移動端末によって、ロックされた識別情報に対応するセルネットワークにアクセスするステップ、または獲得されたセル識別情報が、ロックされた識別情報と整合するセル識別情報を含んでいない場合、移動端末によって、無線通信ネットワークへのアクセスを省略するステップと
を含み得る。
【００７８】
本発明の実施形態は、さらにアプリケーションプログラムを提供する。アプリケーションプログラムが実行されると、本発明の実施形態における、移動端末の使用領域を限定するための方法が実行される。本発明の実施形態における、移動端末の使用領域を限定するための方法は移動端末に適用され、本方法は、
移動端末の現在のロケーションをカバーする少なくとも１つのセルネットワークのセル識別情報を獲得するステップであって、セルネットワークは、移動端末によってサポートされるネットワーク規格に対応する無線通信ネットワークに対応し、セル識別情報は、周波数チャネル番号情報であるか、またはセル識別情報は、周波数チャネル番号情報および補助セル識別情報を含むステップと、
セル識別情報が、ロックされた識別情報と整合するセル識別情報を含んでいるかどうかを決定するステップであって、ロックされた識別情報のパラメータは、セル識別情報のパラメータと１対１の対応関係にあるステップと、
獲得されたセル識別情報が、ロックされた識別情報と整合するセル識別情報を含んでいる場合、移動端末によって、ロックされた識別情報に対応するセルネットワークにアクセスするステップ、または獲得されたセル識別情報が、ロックされた識別情報と整合するセル識別情報を含んでいない場合、移動端末によって、無線通信ネットワークへのアクセスを省略するステップと
を含み得る。
【００７９】
本発明は、上記方法実施形態に対応する移動端末をさらに提供する。
【００８０】
本発明のこの実施形態において提供される移動端末は、プロセッサ、メモリ、通信インタフェースおよびバスを含み得る。
【００８１】
プロセッサ、メモリおよび通信インタフェースは、バスを使用することによって互いに接続され、互いに通信する。
【００８２】
メモリは実行可能なプログラムコードを記憶する。
【００８３】
プロセッサは、メモリに記憶されている実行可能なプログラムコードを読み出して、実行可能なプログラムコードに対応するプログラムを実行させ、それにより、
移動端末の現在のロケーションをカバーする少なくとも１つのセルネットワークのセル識別情報を獲得するステップであって、セルネットワークは、移動端末によってサポートされるネットワーク規格に対応する無線通信ネットワークに対応し、セル識別情報は、周波数チャネル番号情報であるか、またはセル識別情報は、周波数チャネル番号情報および補助セル識別情報を含むステップと、
セル識別情報が、ロックされた識別情報と整合するセル識別情報を含んでいるかどうかを決定するステップであって、ロックされた識別情報のパラメータは、セル識別情報のパラメータと１対１の対応関係にあるステップと、
獲得されたセル識別情報が、ロックされた識別情報と整合するセル識別情報を含んでいる場合、ロックされた識別情報に対応するセルネットワークにアクセスするステップ、または獲得されたセル識別情報が、ロックされた識別情報と整合するセル識別情報を含んでいない場合、無線通信ネットワークへのアクセスを省略するステップと
を実行する。
【００８４】
本発明のこの実施形態において提供される移動端末内のプロセッサは、ベースバンドチップであってもよい。メモリは、マルチチップパッケージであってもよい。通信インタフェースは、ＵＳＢポート、無線周波数コンポーネントおよびＷｉＦｉチップを含み得る。それに加えて、本発明のこの実施形態において提供される移動端末は、加入者識別モジュールカードをさらに含み得る。
【００８５】
具体的には、図７に示されているように、本発明のこの実施形態において提供される移動端末は、ベースバンドチップ７０１、無線周波数コンポーネント７０２、マルチチップパッケージ７０３、加入者識別モジュールカード（ＳＩＭカード）７０４、ＷｉＦｉチップ７０５およびＵＳＢポート７０６を含み得る。無線周波数コンポーネント７０２、マルチチップパッケージ７０３、加入者識別モジュールカード７０４、ＷｉＦｉチップ７０５およびＵＳＢポート７０６は、すべてベースバンドチップ７０１に電気接続されている。
【００８６】
ベースバンドチップ７０１は、データ処理の実施、ネットワーク側との信号発信対話の完了、制御デバイスの制御コマンドおよびデータ要求の処理、加入者識別モジュールカード７０４を使用することによる認証の実施、およびマルチチップパッケージ７０３の読出し／書込みなどの操作を実行するように構成される。
【００８７】
無線周波数コンポーネント７０２は、移動ＷｉＦｉの３Ｇアップリンクパスを提供するように構成される。
【００８８】
マルチチップパッケージ７０３は、フラッシュメモリおよび二重データ転送速度同期ダイナミックランダムアクセスメモリＤＤＲと統合される。フラッシュメモリは、画像およびプロセッサのデータを記憶するように構成される。ＤＤＲは、実行されるプログラムを記憶するように構成される。
【００８９】
ＷｉＦｉチップ７０５は、移動端末の無線ローカルエリアネットワーク接続を実行するように構成される。
【００９０】
ＵＳＢポート７０６は、移動端末および制御デバイスのための物理的接続パスとして使用され、制御デバイスと移動端末の間のデータ対話を実行する。
【００９１】
本発明の実施形態は別の移動端末を提供する。移動端末は、電源管理ユニットをさらに含み得る。電源管理ユニットは、ベースバンドチップ７０１、無線周波数コンポーネント７０２、マルチチップパッケージ７０３、加入者識別モジュールカード７０４、ＷｉＦｉチップ７０５およびＵＳＢポート７０６に電力を供給する。
【００９２】
以上の説明は、本発明の実施形態の単なる例にすぎず、本発明を制限することは意図されていない。本発明の原理内でなされる任意の修正、等価置換または改良は、本発明の保護範囲内に収まるべきものである。
【図１】
0006514350.tif 000002
【図２】
0006514350.tif 000003
【図３】
0006514350.tif 000004
【図４】
0006514350.tif 000005
【図５】
0006514350.tif 000006
【図６】
0006514350.tif 000007
【図７】
0006514350.tif 000008